(57)【要約】【課題】電源装置の外部でハーネスを接続する際に、ハーネスの着脱操作が限られた狭い部位に電源装置が配置されていても、ハーネスを電源装置に効率よく配線接続することができる電源装置の配線接続構造を提供することを課題とする。【解決手段】遊技機に備えられた複数の制御部品に動作電源を供給する遊技機の電源装置であって、ハーネス２１０のプラグ接続側にハーネス端子２２０を接続し、該ハーネス端子２２０の接続部外周囲を樹脂材によりインサート成形して絶縁被覆するとともに、ハーネス端子接合部２５０及びプラグ係止部２７０を樹脂材によりインサート成形してプラグ形状に一体形成したプラグ２００と、前記プラグ２００のハーネス端子接合部２５０と接合対応するプラグ受け開口部３５０と、前記プラグ係止部２７０を係止するプラグ受け係止部３６０と、前記ハーネス端子２２０と接触して導通する本体端子３１０とを備えたプラグ受け３００とを着脱自在に構成する。【選択図】図１
2010259699.tif 000002
【特許請求の範囲】
【請求項１】
遊技機に備えられた複数の制御部品に動作電源を供給する電源装置に対し、該電源装置に備えられたプラグ受けに、動作電源を供給するハーネスが接続されたプラグを着脱自在に接続する電源装置の配線接続構造であって、
前記ハーネスを後端側に接続したハーネス端子の外周囲を樹脂材によりインサート成形して絶縁被覆するとともに、該ハーネス端子の前端側を前記プラグ受けに接合させるハーネス端子接合部と、前記プラグ受けに連結させるプラグ係止部とを、樹脂材によりインサート成形して一体化したプラグを構成し、
前記プラグのハーネス端子接合部と接合する受け部と、前記プラグ係止部を係止するプラグ受け係止部と、前記ハーネス端子と接触して導通する本体端子とを備えたプラグ受けを構成し、
前記プラグを前記プラグ受けに差し込むことに連動して、前記プラグ係止部または前記プラグ受け係止部の少なくとも一方を弾性変位させて、前記プラグ係止部を前記プラグ受け係止部に係止させて連結し、前記プラグ係止部を前記プラグ受け係止部より外すことに連動して、前記プラグを前記プラグ受けより離脱させる着脱構造を有する
電源装置の配線接続構造。
【請求項２】
前記プラグ受けを、
前記電源装置の本体外面より凹ませた凹部に配置構成した
請求項１に記載の電源装置の配線接続構造。
【請求項３】
前記凹部は、
前記プラグと前記プラグ受けの接続部位が、前記電源装置の周辺部材に電気的な悪影響を及ぼさない非干渉領域となる凹み形状に形成した
請求項２に記載の電源装置の配線接続構造。
【請求項４】
前記プラグを、
前記ハーネスを後端側に接続したハーネス端子の外周囲を硬質の樹脂材によりインサート成形して絶縁被覆するとともに、該ハーネス端子の前端側を前記プラグ受けに接合させるハーネス端子接合部と、前記プラグ受けに連結させるプラグ係止部とを、前記硬質の樹脂材によりインサート成形して一体化した硬質連結体と、
前記硬質連結体の前端側に有する前記ハーネス端子接合部を露出させた状態で前記硬質連結体の後端側と、その後端側に接続されるハーネスとを前記硬質の樹脂材より軟質の樹脂材でインサート成形して一体化した軟質連結体とで構成した
請求項１、２または３に記載の電源装置の配線接続構造。
【発明の詳細な説明】
【技術分野】
【０００１】
この発明は、例えばパチンコ機やスロットマシンなどの遊技機に備えられる電源装置に関し、さらに詳しくは電源装置の外側で配線接続するのに適した電源装置の配線接続構造に関する。
【背景技術】
【０００２】
例えば、パチンコ機を例にとって説明すると、パチンコ機に備えられる電源装置は、遊技台の裏面側に配設された遊技を制御する主制御基板を始めとする賞球制御基板などの各種制御基板に、電源装置から複数の電圧の異なる動作電源を生成して供給している（例えば特許文献１参照）。
【０００３】
ところが、近年、パチンコ機の趣向性を高めることが望まれ、遊技台の中央に配置される図柄表示装置が大型化している。このため、図柄表示装置が遊技台裏面側で占める割合が大きくなり、遊技台裏面側の空きスペースが減少している。このため、遊技台裏面側に配置される既存の各種制御基板や電源装置などの構成部品の小型化が要求されている。特に、電源装置からは各種の制御基板に各電力線を配線接続する必要があるため、配線作業を効率よく行うことが望まれている。ところが、遊技台裏面側では電源装置の配置領域が狭められているため配線作業が難しくなっていた。
【０００４】
さらに、パチンコ機等の遊技機に対する法令により、電源装置に対してはハーネスを内部に引き込んで配線接続することが規制され、電源装置の外側でハーネスを配線接続する義務が課せられている。これにより、電源装置の内部を開けずに配線接続ができるため、電源装置に効率よくハーネスを着脱操作することができる。
【０００５】
一例として、電源装置の外壁に本体コネクタを配置し、この本体コネクタに、ハーネスコネクタを着脱することにより、電源装置の外側でハーネスを一括して配線接続できるようにした配線接続構造が知られている（例えば特許文献２参照）。
【０００６】
しかし、電源装置の外壁で配線接続する場合、該配線接続部分が外部に露出した状態にあり、電源装置は外壁を構成するハウジング等のシールド部材で覆われていないため、電源装置の内部接続に比べて外部からの電気的な悪影響を受けやすい状態にある。このため、絶縁性の確保や漏電対策を施すなどの新たな工夫が必要となっていた。また、ハーネスの接続部分が電源装置の外壁より突出して取り付けられるため、遊技台裏面側でのハーネスの占有スペースが大きくなっていた。さらに、遊技台裏面側の狭いスペースでの配線作業に手間がかかり、依然として電源装置に対するハーネスの配線作業の容易化が難しく、配線作業効率が悪い問題を有していた。
【先行技術文献】
【特許文献】
【０００７】
【特許文献１】特開２０００−５３８６号公報。
【特許文献２】特開２００５−８０９０３号公報。
【発明の概要】
【発明が解決しようとする課題】
【０００８】
そこでこの発明は、狭いスペースでのハーネスの配線接続作業であっても、ハーネスを電源装置に効率よく配線接続することができる電源装置の配線接続構造を提供することを課題とする。
【課題を解決するための手段】
【０００９】
この発明は、遊技機に備えられた複数の制御部品に動作電源を供給する電源装置に対し、該電源装置に備えられたプラグ受けに、動作電源を供給するハーネスが接続されたプラグを着脱自在に接続する電源装置の配線接続構造であって、前記ハーネスを後端側に接続したハーネス端子の外周囲を樹脂材によりインサート成形して絶縁被覆するとともに、該ハーネス端子の前端側を前記プラグ受けに接合させるハーネス端子接合部と、前記プラグ受けに連結させるプラグ係止部とを、樹脂材によりインサート成形して一体化したプラグを構成し、前記プラグのハーネス端子接合部と接合する受け部と、前記プラグ係止部を係止するプラグ受け係止部と、前記ハーネス端子と接触して導通する本体端子とを備えたプラグ受けを構成し、前記プラグを前記プラグ受けに差し込むことに連動して、前記プラグ係止部または前記プラグ受け係止部の少なくとも一方を弾性変位させて、前記プラグ係止部を前記プラグ受け係止部に係止させて連結し、前記プラグ係止部を前記プラグ受け係止部より外すことに連動して、前記プラグを前記プラグ受けより離脱させる着脱構造を有することを特徴とする。
【００１０】
他の実施の態様として、前記プラグ受けを、前記電源装置の本体外面より凹ませた凹部に配設して構成することができる。
【００１１】
他の実施の態様として、前記凹部は、前記プラグとプラグ受けの接続部位が、電源装置の周辺部材に電気的な悪影響を及ぼさない非干渉領域となる凹み形状に形成して構成することができる。
【００１２】
他の実施の態様として、前記プラグを、前記ハーネスを後端側に接続したハーネス端子の外周囲を硬質の樹脂材によりインサート成形して絶縁被覆するとともに、該ハーネス端子の前端側を前記プラグ受けに接合させるハーネス端子接合部と、前記プラグ受けに連結させるプラグ係止部とを前記硬質の樹脂材によりインサート成形して一体化した硬質連結体と、前記硬質連結体の前端側に有する前記ハーネス端子接合部を露出させた状態で前記硬質連結体の後端側と、その後端側に接続されるハーネスとを前記硬質の樹脂材より軟質の樹脂材でインサート成形して一体化した軟質連結体とで構成することができる。
【発明の効果】
【００１３】
この発明によれば、電源装置の外部でハーネスを配線接続する構成において、プラグに組み込まれるハーネス端子及びその接続部は樹脂材によりインサート成形されて絶縁被覆されているため、プラグとプラグ受けとの接続部分は電気的な外部影響を受け難く、絶縁性の確保や耐漏電性を有する信頼性の高い配線接続ができる。さらに、プラグの着脱操作に際しても、プラグ係止部とプラグ受け係止部との係脱によりワンタッチでプラグを着脱操作することができる。このため、遊技台裏面側における配線作業スペースが狭くても、ハーネスを電源装置に簡単に配線接続することができる。
【図面の簡単な説明】
【００１４】
【図１】実施例１の電源装置の配線接続構造を示す外観斜視図。
【図２】実施例１の電源装置の配線接続構造を示す要部分解斜視図。
【図３】実施例１のプラグの説明図。
【図４】実施例１のプラグの着脱状態を示す側面図。
【図５】実施例１のプラグの着脱状態を示す側面図。
【図６】実施例１のプラグ接続部位における非干渉領域を示す説明図。
【図７】実施例２の電源装置の配線接続構造を示す外観斜視図。
【図８】実施例２の電源装置の配線接続構造を示す要部分解斜視図。
【図９】実施例２のプラグの接続面側を示す斜視図。
【図１０】実施例２のプラグの説明図。
【図１１】実施例２のプラグの着脱状態を示す側面図。
【図１２】実施例２のプラグ接続部位における非干渉領域を示す説明図。
【図１３】実施例３の電源装置の配線接続構造を示す外観斜視図。
【図１４】実施例３の電源装置の配線接続構造を示す要部分解斜視図。
【図１５】実施例３のプラグの説明図。
【図１６】実施例３のプラグ受けの説明図。
【図１７】実施例３のプラグの接続状態を示す要部断面図。
【発明を実施するための形態】
【００１５】
以下、この発明の実施の形態を図面に基づいて説明する。図面は遊技機に用いられる電源装置の配線接続構造を示し、ハーネスを電源装置に効率よく配線接続する実施形態を示す。
【実施例１】
【００１６】
図１に表されるように電源装置１は長方体状を有し、この長方体状を有する電源装置１の下部前面に配線接続用の凹部１００を形成し、該凹部１００の凹ませた空間でプラグ２００を着脱自在に接続する配線接続構造を有している。
【００１７】
電源装置１は、外周囲が放熱性の優れた金属製のカバー１０で覆われ、外部から導入させた電源によって電圧の異なる複数の動作電源を生成し、該動作電源を、コネクタ２０（図６（Ｂ）参照）を介して遊技機の各制御基板へと供給する電源回路基板（図示省略）が内蔵されている。この電源回路基板に、パワートランジスタ等のトランジスタ群、コンデンサ等の各実装部品３０（図６（Ｂ）参照）を搭載している。
【００１８】
さらに、電源装置１は放熱性の優れた放熱板や放熱フィン、遊技台に固定するための取付部材等をカバー１０の取付側に備えて構成しているが、図１では省略して箱形状のシンプルな外観を表している。
【００１９】
凹部１００は、電源装置１の下部前面を横長の四角柱状に切欠いて、前記カバー１０の前面より凹ませて設けている。この凹ませた凹部１００には、図２に示すように、凹部１００の前面中央部に、横長の凸字形状に開口されたプラグ受け取付孔１１０を有している。そして、この開口した内方に前記コネクタ２０（図６（Ｂ）参照）が接続可能に対向している。
【００２０】
さらに、凹部１００の凹ませた空間は、後述するプラグ２００を凹部内に引き込んで介在させることができる凹部空間に設定している。図においては、プラグ２００の略半分を凹部１００の空間に介在させる例を示している。
【００２１】
次に、プラグ２００について説明する。図３（Ａ）はプラグ２００の差込側を示す拡大斜視図、図３（Ｂ）はプラグ２００に接続されているハーネス２１０の接続状態を示す平面図、図３（Ｃ）はプラグ２００の要部拡大縦断面図である。
【００２２】
プラグ２００は、絶縁性の樹脂材でプラグ形状に作成する場合に、図３（Ｂ）に破線で示すように、ハーネス２１０とその端部に接続されているハーネス端子２２０とを樹脂材によりインサート成形して一体に形成している。ハーネス２１０は、端子部において３本に並列され、その先端部に細長い軸状のハーネス端子２２０が接続されている。なお、中央はアース端子とアース線として用いられている。
【００２３】
前記プラグ２００の形状は、嵩の低い長方体状のプラグ本体２３０と、その長手方向の一側に突出して備えられるハーネスカバー２４０と、他側に突出して備えられるハーネス端子接合部２５０とが一体に形成されている。  
ハーネスカバー２４０は、断面楕円形状を有して、プラグ本体２３０に接続されているハーネス２１０の接続部分外周囲を被覆保護している。
【００２４】
一方、ハーネス端子接合部２５０は後述するプラグ受け開口部３５０より一回り小さい凸字形状に突出され、そのプラグ受け開口部３５０に挿通可能に設けられている。さらに、突出した先端面に、前記各ハーネス端子２２０と同軸方向に対応する端子接合孔２６０を開口している。これらの端子接合孔２６０に後述するプラグ受け３００の本体端子３１０が挿通される。また、ハーネス端子接合部２５０を凸字形状にすることにより、プラグ受け３００側との接合時に、上下左右の接続位置精度が高められて、正確な位置合せが得られるようにしている。
【００２５】
さらに、ハーネス端子接合部２５０寄りに位置するプラグ本体２３０の上面には、逆凹形状に突出するプラグ係止部２７０が形成されている。このプラグ係止部２７０はインサート成形時に一体に形成されるものであり、プラグ本体２３０の上面と逆凹形状とで囲まれた中央にプラグ挿脱方向に貫通する四角形状の係止口２７１が開口されている。さらに、プラグ係止部２７０の外端面を係止面２７２とし、この係止面２７２に後述するプラグ受け３００の上面係止爪３６１が係止口２７１を挿通した後に対応する。
【００２６】
また、プラグ本体２３０の両側面には指掛け部２８０が形成されている。該指掛け部２８０はプラグ挿脱方向に沿ってへの字形状に突出し、その外表面の一部を指掛け用に波形状に形成したものであって、インサート成形時に一体に形成される。この指掛け部２８０の形成位置は作業者がプラグ２００を掴んで引き抜くときに指先が接触する位置に形成する。
【００２７】
さらに、指掛け部２８０の引っ掛かり形状は作業者がプラグ２００を掴んで取り外すときに指先を係止させる形状であればよく、波形状や鋸刃状等の係止抵抗の高い引っ掛かり面を形成する。また、指掛け部２８０をプラグ２００の両側面に突出して形成してもよく、プラグ２００の両側面に凹ませて形成してもよい。
【００２８】
また、プラグ２００を掴んで押し込むときに、該プラグ２００を持った作業者の指先が当たる位置に押し込み用の引っ掛かり面を形成して、プラグ２００の押し込み操作をし易くしてもよい。図２においては、指掛け部２８０を構成する山形の一傾斜側に形成された波形状とは反対側の他傾斜側に形成される傾斜面が押し込み面２８１として利用される。
【００２９】
次に、プラグ受け３００について説明する。図４（Ａ）はプラグ受け３００の平面図、図４（Ｂ）はプラグ受け３００の側面図、図４（Ｃ）はプラグ受け３００の正面図、図４（Ｄ）はプラグ受け３００の背面図である。
【００３０】
図４（Ａ）に示すように、プラグ受け３００は、３列に並列させた本体端子３１０を樹脂材によりインサート成形して一体に形成されている。該３本の本体端子３１０は前記プラグ２００のハーネス端子２２０と突合せ対向するように配置されている。
【００３１】
プラグ受け３００の形状は、図４（Ｂ）及び図５（Ａ）にも示すように、電源装置１の外面側に露出されるプラグ連結部３２０と、電源装置１の内面側に収納される本体連結部３３０とから構成される。
【００３２】
これらの連結部３２０，３３０は、その間を仕切る受け板３４０を境にして形成されている。該受け板３４０は、プラグ受け取付孔１１０の開口面を覆う大きさを有する横長の長方板状を有し、この受け板３４０の外面側にプラグ連結部３２０が突出して形成され、内面側に本体連結部３３０が突出して形成される。
【００３３】
前記プラグ連結部３２０には、本体端子３１０と、プラグ受け開口部３５０と、プラグ受け係止部３６０とが備えられている。  
本体端子３１０は、断面円形を有する細長い導電性の軸体であり、インサート成形後に該本体端子３１０の端部が電源装置１の外方に向けて水平に並列設置され、後述するプラグ受け開口部３５０の空間部に介在している。
【００３４】
上述のプラグ受け開口部３５０は、図４（Ｃ）にも示すように、受け板３４０の前面中央部に開口され、前記凸字形状を有するハーネス端子接合部２５０より一回り大きい凸字形状に開口している。さらに、この凸字形状の周縁をプラグ差込ガイド部３５１として受け板３４０の前面より僅かに突出させている。これに対し、プラグ受け開口部３５０の内方空間は、前記ハーネス端子接合部２５０を差し込み許容する奥行きの開口空間に形成している。この空間部に、前記３本の本体端子３１０が等間隔に並列突出している。
【００３５】
前記プラグ受け係止部３６０は、図４（Ｂ）に示すように、受け板３４０の上面中央部より外方に向けて水平に突出した片持ち支持片であり、この片持ち支持片は上下方向に弾性変位可能でその先端部には、上向きに立ち上げたＬ字状の上面係止爪３６１を形成している。そして、この上面係止爪３６１がプラグ２００側の係止口２７１に対向し、該上面係止爪３６１と係止口２７１との対応時に、該上面係止爪３６１が係止口２７１の上面に接触して下向きに弾性変位する対向位置にある。このため、上面係止爪３６１の前面を円弧面に形成して該上面係止爪３６１が係止口２７１に滑らかに挿通するように形成している。
【００３６】
一方、本体連結部３３０には、図４（Ｄ）にも示すように、嵌合部３７０と、ストッパ面３４１と、本体連結片３８０と、刃３１１とが備えられている。  
嵌合部３７０は、プラグ受け取付孔１１０より一回り小さい凸字形状に形成されて、受け板３４０の内面側に水平に突出している。これにより、嵌合部３７０はプラグ受け取付孔１１０に上下方向が位置決めされて嵌合される。
【００３７】
ストッパ面３４１は、受け板３４０の内面に該当し、プラグ受け取付孔１１０に嵌合部３７０を嵌合させる場合に、該ストッパ面３４１が凹部１００の垂直な外面に当接して、嵌合部３７０を適切な嵌合深さに規制する。
【００３８】
本体連結片３８０は、嵌合部３７０の左右両側に電源装置１の内方に向けて延設した片持ち支持片であり、この片持ち支持片は該支持部を基点に左右方向に弾性変位可能でその先端部には、外側面より横向きに突出するレ形状の側面係止爪３８１を形成している。そして、この側面係止爪３８１が電源装置１の内部で図示しない係止部に係止されて抜止め固定される。
【００３９】
刃３１１は、前記本体端子３１０と同一部材であって、その同一軸の他端部に平板状に形成され、嵌合部３７０の内端面より該刃３１１の３本が水平に突出している。そして、これらの各刃３１１が電源装置１の内部で対応する図示しないコネクタに電気的に接続される。
【００４０】
このように構成されたプラグ受け３００を電源装置１の凹部１００に取り付ける場合は、図２に示すように、電源装置１のプラグ受け取付孔１１０に、プラグ受け３００の嵌合部３７０を位置合せして水平に押し込む。この押し込み操作時に、該プラグ受け３００の側面係止爪３８１が電源装置１の内部に備えられている図示しない係止部に係止されて抜止め固定される。この抜止め固定時に、図５に示すように、受け板３４０のストッパ面３４１が、凹部１００内の垂直な外面に当接する。これにより、プラグ受け３００は適切な嵌合深さ位置で凹部１００内の垂直な外面に組み付けられる。
【００４１】
次に、前記電源装置１に組み付けられたプラグ受け３００に、プラグ２００を着脱する場合について説明する。  
図５（Ａ）は電源装置１の凹部１００にプラグ受け３００が取り付けられている状態であり、この状態では凹部１００において、受け板３４０の外面側上部によりプラグ受け係止部３６０が外向きに水平に突出している。また、凹部１００において、受け板３４０の外面側下部には凸字形状のプラグ受け取付孔１１０が開口されている。これにより、該凹部１００では、プラグ２００を差し込んで取り付け可能なプラグ取り付け待機状態にある。
【００４２】
このプラグ取り付け待機状態にあるプラグ受け３００に対し、プラグ２００を取り付ける場合は、該プラグ２００のハーネス端子接合部２５０をプラグ受け取付孔１１０（図２参照）に差し込む。すると、ハーネス端子接合部２５０は凸字形状により上下左右が位置決めされるため正確に挿入される。この挿入過程で、３本の各本体端子３１０が各端子接合孔２６０に挿入される。この端子接合孔２６０内で本体端子３１０が管状のハーネス端子２２０に挿通して、本体端子３１０とハーネス端子２２０は導通して電気的に接続される。
【００４３】
さらに、プラグ２００の差し込み時には、該プラグ２００に備えられているプラグ係止部２７０の係止口２７１がプラグ受け係止部３６０の上面係止爪３６１と対向し、この対向した状態から該上面係止爪３６１はプラグ２００の差し込みに伴って係止口２７１内に臨み、次第に係止口２７１の上面で押し下げられる。その後、上面係止爪３６１は下向きに弾性変位しながら通過し、通過後は弾性復帰して上動することで、該上面係止爪３６１は係止口２７１の係止面２７２に係止されて抜け止め固定される。これにより、図５（Ｂ）に示すように、プラグ２００はプラグ受け３００に一体化した状態に連結される。
【００４４】
このように、プラグ２００をプラグ受け３００に連結するときは、プラグ２００を一方向に押し込むだけで、互いの係止対応する係止部分が対応して抜け止め固定される。このため、プラグ２００をプラグ受け３００に押し込むだけで簡単に連結することができる。また、プラグ２００とプラグ受け３００間の導通に際して、互いの突き合わせられた３本の端子２２０，３１０が差込方向で接触対応して導通するため、ハーネス２１０を電源装置１に一括して効率よく接続することができる。
【００４５】
つまり、プラグ２００をプラグ受け３００に対し、一方向に押し込むだけで機械的な接続、及び電気的な接続が完了し、作業者はプラグ２００をワンタッチで接続操作することができる。このため、遊技台裏面側における作業者の操作領域が限られていても、また狭いスペースに電源装置１が配置されていても、一方向のプラグ取付スペースさえあれば、該電源装置１にハーネス２１０を効率よく配線接続することができる。
【００４６】
一方、プラグ２００をプラグ受け３００から取り外す場合は、まず、作業者が上面係止爪３６１を指先で押し下げて、該上面係止爪３６１と係止面２７２との係止作用を解除させる。その係止解除後に、プラグ２００を引き抜けば、ハーネス端子接合部２５０がプラグ受け開口部３５０から引き抜かれて、プラグ２００をプラグ受け３００から取り外すことができる。
【００４７】
このプラグ２００の引き抜き時に、本体端子３１０に導通していたハーネス端子２２０も本体端子３１０より離間するので、プラグ２００とプラグ受け３００との端子２２０，３１０部間の導通も同時に遮断される。さらに、プラグ２００の引き抜きに際して、プラグ２００の両側面には指掛け部２８０が突出しているため、作業者はプラグ２００を掴んだときに、指先を左右両側の指掛け部２８０に引っ掛けることができ、プラグ２００をしっかりと把持することができる。このため、作業者はプラグ２００の引き抜き操作がし易くなる。
【００４８】
このプラグ２００の取外例として、仮に電源装置１が遊技台裏面側の狭いスペースに配置されていて、作業者が片手しか挿入できないような狭いスペースにおいて、例えば右手を狭いスペースに入れてプラグ２００を上方より覆うように掴んだとき、人差し指がプラグ２００の上面中央に対応する上面係止爪３６１に対応し、親指がプラグ２００の左側面の指掛け部２８０に対応し、残りの中指と薬指と小指がプラグ２００の右側面の指掛け部２８０側に対応した状態となる。
【００４９】
そして、作業者はプラグ２００を片手で掴んだ状態で人差し指で上面係止爪３６１を押し下げれば、上面係止爪３６１が係止面２７２より外れて上面係止爪３６１による係止を解除することができ、この係止解除状態でプラグ２００を掴んだまま手前に引き抜けば、プラグ２００はプラグ受け３００から離脱して取り外される。
【００５０】
この結果、作業者はプラグ２００を片手で掴んだまま、上面係止爪３６１と係止面２７２とにおける係止解除操作をすることができ、手の特性を十分に活用して手の動きに無駄がない効率のよいプラグ２００の取り外し操作ができる。
【００５１】
次に、狭いスペースでのプラグ２００の着脱操作を簡単化できる要素を考察してみると、プラグ２００を着脱させる動きは、押し込む操作と引き抜く操作との前後方向に進退させる動きと、上面係止爪３６１を指先により僅かに上下動させる動きとの単純な２つの動きで済むことになる。
【００５２】
よって、複雑な動きや大きなスペースを必要とせず、プラグ２００を片手で掴んで進退動作させるスペースがあればよい。このため、狭いスペースであっても、作業者は片手で簡単にプラグ２００を着脱操作することが可能になる。これにより、プラグ２００を一方向（図においては水平方向）に動かすスペースがあれば、電源装置１の配置領域や作業者の作業領域が限られた狭いスペースであってもプラグ２００の着脱操作を簡単に実現できることが認められる。
【００５３】
図においては、プラグ２００の着脱方向を水平方向に着脱する例を示したが、垂直方向や別の方向の着脱方向であってもよい。このような各種方向に着脱する場合であっても、プラグ２００を一方向に移動させるスペースがあれば、同様に狭いスペースであってもプラグ２００の着脱操作が可能になる。
【００５４】
また、前記係止例に限らず、前記上面係止爪３６１をプラグ２００側に設け、係止面２７２をプラグ受け３００側に設けて係脱するようにしてもよい。
【００５５】
図６（Ａ）はプラグ接続時の凹部１００における電源装置１からの電気的な干渉を受けない非干渉領域１２０を示す概略斜視図、図６（Ｂ）はプラグ接続時の凹部１００における電源装置１からの電気的な干渉を受けない非干渉領域１２０と、電源装置１の内部における電源装置１からの電気的な干渉を受けない非干渉領域１３０を示す概略側面図である。
【００５６】
前記プラグ２００の取付スペースを縮小するように凹部１００が形成されているが、この凹部１００の凹み形状及び大きさは、プラグ２００とプラグ受け３００の配設位置が、電源装置１の周辺部材からの電気的な悪影響を受けない非干渉領域１２０，１３０を確保できる凹み形状及び大きさに設定している。
【００５７】
具体的には、前記凹部１００の幅方向を、電源装置１を覆う外壁の側面のカバー１０やビス(図面省略)等と電気的に干渉しない非干渉長さ離した幅間隔に設定して凹み形成している。さらに、凹部１００の前後方向を、図６（Ｂ）に示すように、電源装置１に内蔵されている実装部品３０やビス(図面省略)等と電気的に干渉しない非干渉長さ離した凹み深さに設定して凹み形成している。これにより、図６（Ａ）及び図６（Ｂ）に示すような非干渉領域１２０，１３０を確保し、これらの非干渉領域１２０，１３０の空間内に、プラグ２００及びプラグ受け３００をそれぞれ介在できるように設定している。
【００５８】
このため、プラグ２００を凹部１００内に引き込んで接続しても、電源装置１の周辺部材とは非干渉領域１２０となる凹部１００に介在させることができるため、電気的な悪影響を受けない配線接続を確保できる。また、プラグ受け３００においても非干渉領域１３０内に介在させることができるため、電気的な悪影響を受けない配線接続を確保できる。
【００５９】
上述のように、電源装置１の内部空間で配線接続するのではなく、電源装置１の外面側において配線接続する構造であり、その際にプラグ２００に組み込まれるハーネス端子２２０及びその接続部は樹脂材によりインサート成形されて絶縁被覆されているため、プラグ受け３００との接続部分は外方からの電気的な悪影響を受け難く、絶縁性の確保及び耐漏電性に優れた配線接続となる。
【００６０】
さらに、プラグ２００を電源装置１の凹部１００に引き込んで配線接続することができるため、プラグ２００の一部を凹部１００内に介在させることが可能になる。よって、電源装置１に取り付けられたプラグ２００は電源装置１の外面より大きく突出しないため外力を受け難い状態となって接続される。
【００６１】
ことに、プラグ２００の全部を凹部１００内に介在させるようにすれば、プラグ２００は電源装置１の外面で覆われ、あたかも内部に収納されているかのごとく配置されることになり、電源装置１の外壁に完全に保護された状態となって接続される。
【実施例２】
【００６２】
次に、実施例２における電源装置１の配線接続構造を、図７乃至図１２を参照して説明する。  
この実施例２の電源装置１の配線接続構造は、実施例１の電源装置１の配線接続構造と比較して、実施例１で述べたプラグ２００の形状とプラグ受け３００の形状が一部異なり、他は同じ構造であるため、同じ構造については同符号を付してその説明を省略し、異なる点についてのみ説明する。
【００６３】
この実施例２におけるプラグ２００の形状が異なっている点は、図７及び図８に示すように、プラグ係止部２７０の構造と、指掛け部２８０の配置状態とが異なっている点であり、その異なっている点に特徴を有している。  
まず、プラグ係止部２７０は、プラグ本体２３０の上面に、全幅で、しかも厚肉にして立ち上げた補強起立部４００を有している。この補強起立部４００の幅方向中央部に係止口２７１を開口している。この係止口２７１は挿通方向の厚さを補強起立部４００より薄肉になるように平面視台形状に切欠いて、プラグ受け係止爪３６１が該係止口２７１に容易に挿通して係止面２７２に係止される厚さに設定している。
【００６４】
これにより、プラグ係止部２７０がプラグ本体２３０の上面中央に部分突出せず、プラグ本体２３０の全幅で突出するため、該プラグ係止部２７０はプラグ本体２３０で補強され、高強度で頑丈な構造のプラグ係止部２７０が得られる。
【００６５】
さらに、指掛け部２８０は、プラグ２００を掴んで取り外すときに指先を係止させる役目を有し、該指掛け部２８０を、図９にも示すように、少なくともプラグ２００の上下左右の外面４方に突出形成して構成している。これらの指掛け部２８０は同形状であってもよく、また指掛け部２８０はプラグ２００の持ち方によって、側面と上下面とでは握り圧が異なるため一方の面の指掛け部２８０の引っ掛かり抵抗を強めにし、他方の面の引っ掛かり抵抗を弱めにするように設けてもよい。
【００６６】
これにより、作業者がプラグ２００を掴んで引き抜くときに、作業者ごとに持ち方が異なるが、何れにしても作業者の指先や掌がプラグ２００を包むごとく掴んで接触した際に、左側面、右側面、上面、下面との合計４面の指掛け部２８０のうちの複数に掛かることになり、把持力が増してプラグ２００の着脱操作が一層し易くなる。
【００６７】
さらに、プラグ２００を押し込み操作するときに、該プラグ２００を掴んだ作業者の指先が当たる位置に押し込み用の引っ掛かり面を形成して、プラグ２００の押し込み操作をし易くしてもよい。
【００６８】
次に、実施例２におけるプラグ受け３００について説明する。  
図１０（Ａ）はプラグ受け３００の平面図、図１０（Ｂ）はプラグ受け３００の横断平面図、図１０（Ｃ）はプラグ受け３００の縦断側面図、図１０（Ｄ）はプラグ受け３００の正面図である。
【００６９】
この実施例２におけるプラグ受け３００の形状が異なっている点は、側面係止歯４１０と周縁保護カバー部４２０とを備えた点が異なっている。まず、側面係止歯４１０は、図１０（Ａ）に示すように、嵌合部３７０の両側面に、側面係止歯４１０を、への字形状に突出形成している。この突出面にプラグ受け３００の取付方向と直交する鋸刃状の係止歯を形成している。
【００７０】
そして、該側面係止歯４１０が電源装置１の内部で図示しない係止部に係止されることで抜止め固定される。該側面係止歯４１０を用いた固定によれば、実施例１で述べた本体連結片３８０のように長く片持ち支持されて突出しないため、損傷し難い構造を有している。
【００７１】
さらに、周縁保護カバー部４２０は、プラグ受け３００の前面周囲を、逆凹形状を有する該周縁保護カバー部４２０で囲むごとく突出形成している。そして、周縁保護カバー部４２０で囲まれた中央部上面にプラグ受け係止部３６０を突出させている。これにより、プラグ受け係止部３６０は周縁保護カバー部４２０で覆われて保護された状態にあるため、外力を受けて損傷し難い構造を有している。このように、プラグ受け３００は、側面係止歯４１０と周縁保護カバー部４２０とにより損傷し難い構造を備えている。
【００７２】
このように構成されたプラグ２００及びプラグ受け３００を用いて、該プラグ２００を電源装置１に対して着脱する場合も、実施例１の図５（Ａ）、図５（Ｂ）で述べた着脱動作と同様にして、図１１（Ａ）、図１１（Ｂ）に示すように、同様な着脱動作にて行うことができる。
【００７３】
さらに、図１２（Ａ）に示すように、プラグ接続時の凹部１００における電源装置１からの電気的な干渉を受けない非干渉領域１２０にプラグ２００が配設される。また、図１２（Ｂ）に示すように、プラグ接続時の凹部１００における電源装置１からの電気的な干渉を受けない非干渉領域１２０と、電源装置１の内部における電源装置１からの電気的な干渉を受けない非干渉領域１３０にプラグ２００とプラグ受け３００が一体化して配設される。よって、この場合も実施例１と同様に、電源装置１からの電気的な悪影響を受けない配線位置となり、信頼性の高い配線接続を確保することができる。
【実施例３】
【００７４】
次に、実施例３における電源装置１の配線接続構造を、図１３乃至図１７を参照して説明する。  
この実施例３の電源装置１の配線接続構造は、実施例１または実施例２の電源装置１の配線接続構造と比較して、プラグ２００の形状とプラグ受け３００の形状が一部異なり、他は同じ構造であるため、同じ構造については同符号を付してその説明を省略し、異なる点についてのみ説明する。
【００７５】
実施例３におけるプラグ２００は、該プラグ２００の着脱操作感触を明瞭にすることができる硬質の樹脂材を効率よく備えた点に特徴を有している。  
前記プラグ２００は、図１３、図１４及び図１５にも示すように、ハーネス２１０の接続部とハーネス端子２２０とをインサート成形する硬質連結体２９０と、前記硬質連結体２９０とハーネス２１０の接続部とをインサート成形する軟質連結体２９１とから構成される。
【００７６】
前記硬質連結体２９０はインサート成形後に硬質が得られる絶縁性の樹脂材を用いる。例えば、ポリブチレンテレフタレート(ＰＢＴ)を用いる。このポリブチレンテレフタレートは、耐熱性、耐薬品性、電気特性、寸法安定性、成形性に優れ、難燃性も持たせやすいという特徴を有している。これにより、インサート成形後は硬質の性質を有する硬質連結体２９０として用いることができる。このほかにも硬質が得られる絶縁性の樹脂材であれば適用できる。
【００７７】
前記硬質連結体２９０のインサート成形に先立ち、ハーネス端子２２０の後端側には予めハーネス２１０を配線接続しておき、該ハーネス２１０を配線接続した状態でハーネス端子２２０の外周囲を前記硬質の樹脂材でインサート成形する。インサート成形後に得られる硬質連結体２９０の前端側にはハーネス端子接合部２５０とプラグ係止片２９２とが形成され、後端側には抜止部２９３が形成される。
【００７８】
前記ハーネス端子接合部２５０は硬質連結体２９０の一部であって、図１５（Ａ）に示すように、後述する軟質連結体２９１の樹脂材で硬質連結体２９０の後端側をインサート成形した際に、その硬質連結体２９０の前端側のほぼ半分が露出される部分であり、プラグ受け開口部３５０（後述）より一回り小さい凹字形状に形成されて、そのプラグ受け開口部３５０に挿通可能に設けられている。さらに、ハーネス端子接合部２５０の突出した先端面に、前記各ハーネス端子２２０と同軸方向に対応する端子接合孔２６０を開口している。これらの端子接合孔２６０にプラグ受け３００（後述）の本体端子３１０が挿通される。また、ハーネス端子接合部２５０を凹字形状にすることにより、プラグ受け３００側との接合時に、上下左右の接続位置精度が高められて、正確な位置合せが得られるようにしている。
【００７９】
前記プラグ係止片２９２は、図１５（Ａ）にも示すように、硬質連結体２９０の前端側上面中央に逆Ｌ型状に突出して設けられる。この逆Ｌ型状の垂直片が片持ち支持され、水平片が前端側に向けて延び、その自由端側では上下方向に弾性変位許容されている。さらに、自由端部には上向きに突出して段差形成された係止爪２９４が形成されており、該係止爪２９４が後述するプラグ受け係止口３６２に係脱される。また、水平片の上面には指先の接触性を高める滑り止め部２９５が形成されている。
【００８０】
前記抜止部２９３は、図１５（Ｃ）に示すように、硬質連結体２９０の後端側上下面に櫛歯状の凹凸部を前後方向と交差する向きに形成されている。そして、櫛歯状の凹凸部が後述する軟質連結体２９１の樹脂材によりインサート成形される。これにより、該凹凸部分が抜止部分となって硬質連結体２９０は軟質連結体２９１と一体化される。
【００８１】
前記軟質連結体２９１はプラグ本体２３０として設けられる部分であり、前記硬質の樹脂材よりも硬度が低い樹脂材を用いる。例えば、塩化ビニール（ＰＶＣ）等の汎用の樹脂材を用い、前記硬質連結体２９０を中子として、その後端側と、ここに接続されるハーネス２１０との接続部分を該汎用樹脂材でインサート成形する。
【００８２】
これにより、硬質連結体２９０の後端側と、ここに接続されるハーネス２１０とが汎用樹脂材でインサート成形され、硬質連結体２９０と軟質連結体２９１とが一体化された長方体状のプラグ２００が形成される。
【００８３】
このようにプラグ２００の形成に際しては、全て汎用の樹脂材を用いてインサート成形するのではなく、硬さの異なる硬質の樹脂材と軟質の樹脂材との２種類の樹脂材を併用して部分的に使い分けることにより明瞭な操作感触を取得できる構造のプラグ２００の実現を可能にしている。
【００８４】
次に、実施例３におけるプラグ受け３００について説明する。  
図１６（Ａ）はプラグ受け３００の外観斜視図、図１６（Ｂ）はプラグ受け３００の横断平面図、図１６（Ｃ）はプラグ受け３００の正面図、図１６（Ｄ）はプラグ受け３００の背面図である。
【００８５】
このプラグ受け３００は、該プラグ受け３００が電源装置１のプラグ取付孔１１０に取り付けられた際に、電源装置１の外面側に露出される該プラグ受け３００のプラグ連結部３２０側において、プラグ受け開口部３５０の形状とプラグ受け係止口３６２を備えた点が異なっている。
【００８６】
まず、プラグ受け開口部３５０は、図１６（Ａ）〜図１６（Ｃ）に示すように、前記ハーネス端子接合部２５０より一回り大きい凹型状に開口しており、ここに同凹型状を有するハーネス端子接合部２５０が挿入ガイドされる。このプラグ受け開口部３５０の開口形状を凹型状とすることにより、プラグ受け３００の凹み部分の中央スペースにプラグ受け係止口３６２（後述）を形成することが可能になる。
【００８７】
上述のプラグ受け係止口３６２は、図１４に示すように、前記プラグ係止片２９２と対向する位置で前記プラグ受け開口部３５０より上方の正面中央部に正面視四角形状に貫通して設けている。
【００８８】
そして、プラグ２００をプラグ受け３００に連結する時に、ハーネス端子接合部２５０がプラグ受け開口部３５０に挿入されると、プラグ係止片２９２がプラグ受け係止口３６２に挿入されるに伴い、該プラグ係止片２９２の係止爪２９４が下向きに弾性変位しながらプラグ受け係止口３６２を貫通し、該係止爪２９４がプラグ受け係止口３６２を貫通して挿入完了した時点でプラグ受け係止口３６２の内方開口端面となる係止端面３６３（図１７（Ｂ）参照）に上動復帰して係止される。この係止動作によってプラグ２００はプラグ受け３００に連結される。
【００８９】
前記プラグ２００をプラグ受け３００に着脱する場合、該プラグ２００のハーネス端子接合部２５０及びプラグ係止片２９２が硬質連結体２９０の一部として形成されているため、プラグ装着時にプラグ受け係止口３６２に前記プラグ係止片２９２が挿入されて係止される場合に、該プラグ係止片２９２は硬質のため弾性抵抗が大きい状態で挿入される。そして、プラグ係止片２９２の係止爪２９４がプラグ受け係止口３６２の内方の係止端面３６３に達したとき、弾性復帰して係止される。この係止時点でカチッという明瞭な音、及び強い弾性復帰力で係止されたことによる振動等が操作者の手に伝わり、プラグ連結時の明瞭な操作感触が操作者に伝達される。
【００９０】
したがって、操作者はプラグ２００を差し込んで装着操作したときに、該プラグ２００がプラグ受け３００に連結されたことを容易に認識することができる。このため、プラグ２００がプラグ受け３００に連結されたか否かを的確に把握でき、信頼性の高い装着操作性能が得られる。したがって、プラグ連結時の操作感触が明確に伝わらないという不安感を生じさせるような信頼性の低い装着操作が解消される。
【００９１】
一方、プラグ２００をプラグ受け３００から取り外す場合は、指先でプラグ係止片２９２を係止解除方向（図１３及び図１７（Ｂ）においては下向き）に押して、係止爪２９４を係止端面３６３より外せば係止解除される。係止解除された状態でプラグ２００を引き抜くと、該プラグ２００をプラグ受け３００から取り外すことができる。この場合も、プラグ係止片２９２の弾性抵抗が大きいため係止解除時点での操作負荷が急激に変化したことが感知される。この結果、操作者は明確な操作感触が得られる。
【００９２】
なお、電源装置１の内面側に収納されるプラグ受け３００の本体連結部３３０には、プラグ受け３００の内端側に突出する平板状の刃３１１の向きを、実施例１及び実施例２とは異なる縦向きに並列突出させている（図１６（Ｂ）及び図１６（Ｄ）参照）。
【００９３】
図１７（Ａ）はプラグ２００をプラグ受け３００に差し込んで連結させたときのハーネス端子２２０と本体端子３１０との導通状態を示す一部横断平面図、図１７（Ｂ）はその要部縦断面図である。
【００９４】
前記プラグ２００とプラグ受け３００との機械的な連結時に、同時に電気的に接続されるハーネス端子２２０と本体端子３１０との配線接続に際しても、部分的に円錐形状に絞られた筒状のハーネス端子２２０内に、ピン状の本体端子３１０が挿通して接触することにより電気的に導通される。
【００９５】
さらに、前記プラグ２００を電源装置１に取り付けた場合も、実施例１の図５（Ａ）、図５（Ｂ）で述べた装着動作と同様に実施例３においても、図１３の凹部１００を介してプラグ２００を電源装置１に装着することができる。よって、この場合も実施例１と同様に、電源装置１からの電気的な悪影響を受けない配線位置となり、信頼性の高い配線接続を確保することができる。
【００９６】
この発明は上述の実施例の構成のみに限定されるものではなく、請求項に記載された技術思想に基づいて応用することができる。例えば、上述の実施例１〜３ではプラグ２００の一部を凹部１００に介在させる例を示したが、プラグ２００の全部を凹部１００内に介在させるように構成することもできる。
【符号の説明】
【００９７】
１…電源装置
１００…凹部
１２０，１３０…非干渉領域
２００…プラグ
２１０…ハーネス
２５０…ハーネス端子接合部
２７０…プラグ係止部
２９０…硬質連結体
２９１…軟質連結体
３００…プラグ受け
３１０…本体端子
３５０…プラグ受け開口部
３６０…プラグ受け係止部
【図１】
2010259699.tif 000003
【図２】
2010259699.tif 000004
【図３】
2010259699.tif 000005
【図４】
2010259699.tif 000006
【図５】
2010259699.tif 000007
【図６】
2010259699.tif 000008
【図７】
2010259699.tif 000009
【図８】
2010259699.tif 000010
【図９】
2010259699.tif 000011
【図１０】
2010259699.tif 000012
【図１１】
2010259699.tif 000013
【図１２】
2010259699.tif 000014
【図１３】
2010259699.tif 000015
【図１４】
2010259699.tif 000016
【図１５】
2010259699.tif 000017
【図１６】
2010259699.tif 000018
【図１７】
2010259699.tif 000019